(57)【要約】【課題】  収納袋に何らかの力がかかり収納袋が破れたとしても、収納袋の袋部までは破れないようにした収納袋を提供する。【解決手段】  本発明の収納袋（１０，２０，３０）は、収納袋の周縁部に形成された切断用の第１切り込み部（２１）と、第１切り込み部（２１）からの切断を補助するための第１の切断補助線（２３）と、第１の切断補助線（２３）と交わり、収納袋の内部に形成された切断用の第２切り込み部（２２）とを備える。さらに、第２切り込み部（２２）からの切断を補助するための第２の切断補助線（２４）を備え、この第２の切断補助線は物品を収納する袋部（１４）を切断する位置に形成してもよい。【選択図】図２
2007186213.tif 000002
【特許請求の範囲】
【請求項１】
物品を収納する収納袋において、
前記収納袋の周縁部に形成された切断用の第１切り込み部と、
前記第１切り込み部からの切断を補助するための第１の切断補助線と、
前記第１の切断補助線と交わり、前記収納袋の内部に形成された切断用の第２切り込み部と
を備えることを特徴とする収納袋。
【請求項２】
前記第２切り込み部からの切断を補助するための第２の切断補助線を備え、この第２の切断補助線が前記物品を収納する袋部を切断する位置に形成されていることを特徴とする請求項１に記載の収納袋。
【請求項３】
前記袋部とは異なる場所に、前記収納袋を外部に取り付けるための孔部を備えることを特徴とする請求項２に記載の収納袋。
【請求項４】
前記第２切り込み部からの切断を補助するための第２の切断補助線を備え、この第２の切断補助線が所定形状のチケットを切断するように形成されていることを特徴とする請求項１に記載の収納袋。
【請求項５】
前記第１の切断補助線と前記第２切り込み部との交わり角度が３０度から９０度であることを特徴とする請求項１ないし請求項４のいずれか一項に記載の収納袋。
【請求項６】
前記収納袋の袋部とは異なる位置に、前記収納袋を吊り下げるための孔部を備えることを特徴とする請求項１ないし請求項５のいずれか一項に記載の収納袋。
【請求項７】
前記物品は固体物又は液体物の少なくとも一方を含むことを特徴とする請求項１ないし請求項６のいずれか一項に記載の収納袋。
【発明の詳細な説明】
【技術分野】
【０００１】
本発明は、医薬品、食品、その他物品を収納する収納袋に関するものである。
【背景技術】
【０００２】
ペットボトルの販促品などが、ペットボトルのボトルネックにぶら下げられた収納袋に入れられていることが多い。このような収納袋はポリエチレンなどのプラスチックフィルムでできており破きにくい。そこで、消費者が収納袋を手で破って販促品を取り出しやすいように、収納袋の周縁部に切れ目が形成され、その切れ目からはミシン目が付けられている。
【０００３】
しかし、収納袋に切れ目又はミシン目が形成されているために、商店での陳列段階又は流通段階で、収納袋が人に当たったり物にぶつかったりして、消費者がペットボトルを購入する前に収納袋から販促品が落ちていたりすることもある。また、販促品が落ちないまでも切れ目又はミシン目から収納袋が多少破れているために、販促品に、ホコリなどが入る場合がある。販促品が玩具のようなものであれば大きな問題が生じる可能性は少ないかもしれないが、消費者が口に入れる食品、補助食品又は医薬品のサンプル品などである場合には、消費者の健康管理の点から問題が生じる。
【０００４】
ペットボトルのボトルネックにぶら下げられた販促品用の収納袋だけでなく、食品の収納袋、医薬品の収納袋においても、収納袋を手で破いて消費者が食品又は医薬品などを取り出しやすいようにすることは顧客満足度を向上する上で重要である。一方で、切れ目又はミシン目が形成されているために、陳列段階又は流通段階で収納袋が破れないようにすることも消費者の安全のために重要である。これらは相反することであるため、収納袋を創作する者にとってはジレンマとなっていた。
【０００５】
【特許文献１】特開２００１−１１４３０２号公報
【発明の開示】
【発明が解決しようとする課題】
【０００６】
そこで本発明は、商店での陳列段階又は流通段階で、たとえ切れ目又はミシン目から収納袋が破れたとしても収納袋の袋部までは破れないようにした収納袋を提供することを目的とする。また、医薬品等で飲用する順番が決まっている場合に順番を間違えないようにする収納袋を提供することを目的とする。
【課題を解決するための手段】
【０００７】
第１の観点に収納袋（１０，２０，３０）は、収納袋の周縁部に形成された切断用の第１切り込み部（２１）と、第１切り込み部（２１）からの切断を補助するための第１の切断補助線（２３）と、第１の切断補助線（２３）と交わり、収納袋の内部に形成された切断用の第２切り込み部（２２）とを備える。この構成により、第１切り込み部（２１）から収納袋（１０，２０，３０）が破れたとしても収納袋（１０，２０，３０）の袋部（１４）まで直接破れることはない。
【０００８】
第２の観点に収納袋（１０，２０，３０）は、第２切り込み部（２２）からの切断を補助するための第２の切断補助線（２４）を備え、この第２の切断補助線が物品を収納する袋部（１４）を切断する位置に形成されている。第２の切断補助線（２４）がある場合には、袋部（１４）をきれいに手で破ることができる。
【０００９】
第３の観点に収納袋（１０，２０，３０）は、袋部（１４）とは異なる場所に、収納袋を外部に取り付けるための孔部（１２）を備える。陳列棚に収納袋を吊り下げる場合やボトル又はビンなどに収納袋を吊り下げる場合には、孔部（１２）が設けられているため便利である。
【００１０】
第４の観点に収納袋（２０）は、第２切り込み部（２５）からの切断を補助するための第２の切断補助線（２６）を備え、この第２の切断補助線（２６）が所定形状のチケット（１６）を切断するように形成されている。この構成により、手でチケット（１６）をきれいに破り取ることができるとともに、万引き又はいたずらによってチケット（１６）を取り外すことをできなくしている。
【００１１】
第５の観点に収納袋（１０，２０，３０）は、第１の切断補助線（２３）と第２切り込み部（２２）との交わり角度が９０度である。この構成により、第１の切断補助線（２３）を手で破っている際に、誤って第２切り込み部（２２）を破ることを防いでいる。
【００１２】
第６の観点に収納袋（１０，２０）は、収納袋の袋部（１４）とは異なる位置に、収納袋（１０，２０）を吊り下げるための孔部（１２）を備える。この構成により、収納袋（１０，２０）をペットボトルやビンに、又は吊り下げの陳列棚に吊り下げることができる。
【００１３】
第７の観点に収納袋（１０，２０）は、物品は固体物又は液体物の少なくとも一方を含む。袋部（１４）に入れる物品に応じて、切断補助線（２３）を密閉式のものにしたり開放型にしたりして適宜変更すればよい。
【発明の効果】
【００１４】
本発明の収納袋は、切り込み部から収納袋が破れたとしても収納袋の袋部までは破れない。また、切り込み部を収納袋の周縁部に一箇所設け、その他の切り込み部を内部に設けることで、袋部に入っている物品を順番に外へ出すことも可能となるという利点がある。
【発明を実施するための最良の形態】
【００１５】
図１は、ペットボトル１００に収納袋１０を吊り下げた図である。ペットボトル１００は、注ぎ口１０４の付近にボトルネック１０２が形成されている。このボトルネック１０２の直径より多少大きく、ペットボトル１００の本体部より直径が小さくなるように、収納袋１０の孔部１２が形成されている。この孔部１２がボトルネック１０２に入り収納袋１０を吊り下がる。ペットボトル１００以外のワイン・ウイスキーのビンなどであれば、そのボトルネックに合わせた収納袋１０の孔部１２にすればよい。
【００１６】
収納袋１０には、ノッチ又は切れ目２１と切れ目２１から延びたミシン目２３が形成されており、このミシン目２３と交差するように切れ目２２が形成されている。収納袋１０は材料であるフィルムを熱溶着した部分と熱溶着をしないで袋状になっている袋部１４とからなり、袋部１４の周りは袋部１４に入った物品が外にでないように全面熱溶着されている。なお、熱溶着ではなく、接着剤等による接着が採用されてもよい。以下、収納袋１０の詳細を図２を使用して説明する。
【００１７】
（第一実施形態）
図２のＡは、第一実施形態の収納袋１０の正面図であり、Ｂは収納袋１０の側面図である。収納袋１０の材料は、破れにくいように樹脂フィルムをコーテングした紙、又は単層の樹脂のフィルムでもよいが、本実施形態では２層の樹脂フィルムを使用する場合を説明する。なお、３層以上の多層の樹脂フィルムも本発明に適用できる。
【００１８】
２層の樹脂フィルムの内層は、熱によって溶融し相互に融着し得る樹脂のフィルムである。かかる樹脂のフィルムとしては、例えば、低密度ポリエチレン、中密度ポリエチレン、高密度ポリエチレン、直鎖状（線状）低密度ポリエチレン、ポリプロピレ、エチレン−酢酸ビニル共重合体、アイオノマ−樹脂、エチレン−アクリル酸エチル共重合体、エチレン−アクリル酸共重合体、エチレン−メタクリル酸共重合体、エチレン−プロピレン共重合体、メチルペンテンポリマ−、ポリエチレン、ポリプロピレン等のポリオレフィン系樹脂をアクリル酸、メタクリル酸、無水マレイン酸、フマ−ル酸、その他等の不飽和カルボン酸で変性した酸変性ポリオレフィン系樹脂、その他等の樹脂の一種ないしそれ以上からなる樹脂のフィルムないしシ−トを使用することができる。そのフィルムの厚さとしては、１０μｍ以上、好ましくは、４０μｍ以上が好ましいが、袋部１４にいれる物品、収納袋１０の用途などに応じてフィルムの厚さ又は材料を変更することができる。
【００１９】
２層の樹脂フィルムの外層は、強度、剛性、印刷性、又は遮光性等について決定すればよい。例えば、ポリエステル系樹脂、ポリアミド系樹脂、ポリアラミド系樹脂、ポリプロピレン系樹脂、ポリカーボネイト系樹脂、ポリアセタ−ル系樹脂、フッ素系樹脂、その他等の強靱な樹脂のフィルムないしシ−トを使用することができる。樹脂フィルムでなく、金属製のアルミフィルムも適用できる。強度、剛性、印刷性、又は遮光性等を考慮して、外層は約１０μｍないし１００μｍ位、好ましくは、約２０μｍないし５０μｍ位が最も望ましい。樹脂フィルムの外層も後述する袋部１４にいれる物品、収納袋１０の用途などに応じてフィルムの厚さ又は材料を変更することができる。
【００２０】
多層の樹脂フィルムからなる収納袋１０は、ハサミなどの道具を使わないで、消費者が人の手の力だけで周縁部から破ることは非常に困難である。そこで、本実施形態の収納袋１０の周縁部には切り目２１が形成されている。切れ目２１は、単なる直線状の切断部分であってもよく又はＶカットもしくはＵカットした切断部分であってもよい。人の両手で破りやすいように切り目２１の長さを決定することができる。２層の樹脂フィルムの厚さによるが、２ｍｍから１０ｍｍ程度の切れ目２１を形成すればよい。
【００２１】
切り目２１の長さ方向に、ミシン目２３が形成されている。ミシン目２３は、人が切れ目２１で収納袋１０を破いてから、収納袋１０をさらに長い距離を破る切断の補助の役目である。ミシン目２３は、誤って破れてしまわないように収納袋１０の周縁部まで延びていない。図２から理解できるように、ミシン目２３は、熱によって溶融し相互に融着した収納袋１０の部分に形成され、収納袋１０の袋部１４（熱によって溶融していない部分）には形成されていない。ミシン目２３は、点線状、一点鎖線状、その他等の任意の形状でよく、その本数は、一本ないしそれ以上でよく、また連続状あるいは不連続状等のいずれでもよい。ミシン目２３は直線状でも曲線状でもよいが、収納袋１０のミシン目２３以外の部分が破れないように、小穴の間隔などを調整する必要がある。
【００２２】
ミシン目２３の途中に、ミシン目２３と交差するように切れ目２２が形成されている。切れ目２２は、収納袋１０の周縁部に形成されているのではなく、収納袋１０の内側に形成されている。切れ目２２は２ｍｍから１０ｍｍ程度の長さで、切れ目２２の長手方向は、ミシン目２３の長手方向（ミシン目２３に沿って破る方向）とほぼ直交する方向に形成されている。切れ目２２の長手方向とミシン目２３の長手方向との交わり角度が約３０度以下であると、人がミシン目２３に沿って収納袋１０を破ろうとしているにもかかわらず、切れ目２２の長手方向に破れるおそれがある。したがって、切れ目２２の長手方向とミシン目２３の長手方向とが交わってできる狭い方の角度は３０度より大きいほうが好ましく、交わり角度は最大の９０度が最適である。
【００２３】
切れ目２１及びミシン目２３に沿って収納袋１０を破いても、袋部１４の中の物品は外に出てこない。切れ目２１及びミシン目２３に沿って収納袋１０を破いて初めて、袋部１４を破るための切れ目２２が現れる。切れ目２２も、切れ目２１と同様に、単なる直線状の切断部分であってもよく又はＶカットした切断部分であってもよい。
【００２４】
切れ目２２には、二点鎖線で描かれたミシン目２４が形成されている。ミシン目２４は、ミシン目２３と同様な点線状、一点鎖線状、その他等の任意の形状で形成されている。
【００２５】
人が手で切れ目２２からミシン目２４に沿って破ると、袋部１４が初めて開封され、袋部１４の中の物品が消費者の手元に出てくることになる。人は、収納袋１０を異なる方向に２度手で破らなくては袋部１４を開封することができない。このことは、商店での陳列段階又は流通段階で、収納袋が人に当たったり物にぶつかったりしても、袋部１４が開封されることを防ぐことになる。
【００２６】
なお、切れ目２２からのミシン目２４は、収納袋１０に形成する必要は必ずしもない。切れ目２２から収納袋１０を破いて袋部１４に達して袋部１４内の物品を出すことができれば足り、切れ目２２からの破れ方が直線でなかったりきれいでなかったりしても問題ないからである。
【００２７】
収納袋１０の一部には、ペットボトル１００のボトルネック１０２に収納袋１０をかけるための孔部１２が形成されている。陳列棚のハンガーにかけることが主目的であれば、ハンガーの径又は形状に合わせた孔部１２に形成することができる。さらに、収納袋１０の表面及び裏面を印刷可能な樹脂フィルムで形成しておけば、袋部１４内の商品の広告や説明を印刷することができる。
【００２８】
（第二実施形態）
図３のＡは、第二実施形態の収納袋２０の正面図であり、Ｂは収納袋２０の側面図である。収納袋２０と収納袋１０とが異なる点のみを説明し、同じ作用機能の点は同じ符号を付すのみで説明を割愛する。
【００２９】
収納袋２０には、切れ目２２にミシン目２４が形成されていない。第一実施形態で説明したように、切れ目２２から収納袋２０を破いて袋部１４に達すれば足り、切れ目２２からの破れ方が直線でなかったりきれいでなかったりしても問題ないからである。
【００３０】
一方、収納袋２０には、切れ目２５とミシン目２６とが形成されている。切れ目２５は、切れ目２１と同じように、単なる直線状の切断部分であってもよく又はＶカットもしくはＵカットした切断部分であってもよい。ミシン目２６もミシン目２３と同様に、同様な点線状、一点鎖線状、その他等の任意の形状で形成されている。一旦、収納袋２０の周縁部に形成された切れ目２１からミシン目２３に沿って破いた後にしか、人は、切れ目２５からミシン目２６に沿って手で破くことができない。
【００３１】
切れ目２１からミシン目２３に沿って手で破き、さらに切れ目２５からミシン目２６に沿って手で破くことができるので、きれいな形状を維持して収納袋２０の一部であるシート１６を破り取ることができる。したがって、シート１６には、チケット、例えば優待券、割引券などを印刷しておけば、収納袋２０に入っている物品を購入した消費者が、その優待券、割引券などを使用することができる。もちろん、優待券、割引券ではなく、ベルマーク（商標）などの点数券などであってもよい。子供がハサミなどを使うことなくシート１６を破り取ることができる。その一方で、２度異なる方向に破らなくてはならないので、購入していない人が、万引き又はいたずら目的で優待券、割引券などを破り取ることが困難となる。
【００３２】
（第三実施形態）
図４は、試薬、粉薬又は丸薬などの医薬品、又は使う順番が決まっている調味料などを収納する収納袋３０の正面図である。収納袋３０と収納袋１０と異なる点のみを説明し、同じ作用機能の点は同じ符号を付すのみで説明を割愛する。
【００３３】
ここでは、医薬品を例にとって説明するが、医薬品を飲む順番が決まっている場合には、収納袋３０の袋部１４の表紙に番号を印刷すればよいが、番号を読み飛ばしてしまい誤ってしまうことがある。そこでフールプルーフのため、人が手で破くことができる順番を収納袋３０で特定してしまうのである。
【００３４】
収納袋３０には、ほぼ正方形の４つの袋部１４−１ないし袋部１４−４が設けられており、収納袋３０の周縁部に切れ目２１が形成されている。切れ目２１にはミシン目２３−１が設けられ、さらにミシン目２３−１と約９０度で交差する切れ目２２−１が形成されている。切れ目２２−１にはミシン目２３−２が設けられ、ミシン目２３−２と約９０度で交差する切れ目２２−２が形成されている。切れ目２２−２にはミシン目２３−３が設けられ、ミシン目２３−３と約９０度で交差する切れ目２２−３が形成されている。切れ目２２−３にはミシン目２３−４が設けられ、ミシン目２３−４と交差する切れ目２２−４が形成されている。ミシン目２３−１ないしミシン目２３−４は、誤って違った順番に破いてしまわないように収納袋３０の周縁部まで延びていない。あくまでも切れ目２２−１ないし切れ目２２−４からしか破れないようにするためである。
【００３５】
まず、収納袋３０の周縁部に形成された切れ目２１からミシン目２３−１に沿って、人の手で収納袋３０を破る。すると、収納袋３０の内部に形成された切れ目２２−１が現れるため、人は切れ目２２−１からミシン目２３−２に沿って収納袋３０を破る。こうすることで、袋部１４−１に収納されていた、最初に服用すべき医薬品を取り出すことができる。また、切れ目２２−１からミシン目２３−２に沿って収納袋３０を破ることで切れ目２２−２が現れる。そこで次に、人は切れ目２２−２からミシン目２３−３に沿って収納袋３０を破る。袋部１４−２に収納されていた、次に服用する医薬品を取り出すことができる。次に、人は切れ目２２−３からミシン目２３−４に沿って収納袋３０を破ると、袋部１４−３に収納されていた、三度目に服用すべき医薬品を取り出すことができる。最後に、切れ目２２−４から収納袋３０を破ると、袋部１４−４に収納されていた最後に服用すべき医薬品を取り出すことができる。切れ目２２−４にはミシン目２４が形成されていてもいなくてもよい。最後に収納袋３０を破るときには、袋部１４−４に達すれば足り、切れ目２２−４からの破れ方が直線でなかったりきれいでなかったりしても問題ないからである。
【００３６】
人はハサミで切断するなどのことがない限り、誤って袋部１４−１に収納されていた最初に服用すべき医薬品の前に、袋部１４−２に収納されていた２度目に服用する医薬品を取り出すことができない。また、袋部１４−２と袋部１４−３との関係も同様である。本実施形態は食品、医薬品の収納のための収納袋３０だけでなく、工業製品の製造又はバイオ研究などで、部品を組み立てる又は試薬を使用する順番が決まっている場合にも、収納袋３０の袋部１４に部品又は試薬を順番に沿って収納しておけば適用できる。
【００３７】
図５のＡは、１日３回服用する医薬品又はサプリメントを特に考慮した収納袋４０の正面図である。医薬品は、朝昼晩ごとに服用する薬の種類が異なったり、同じ薬であっても薬の量が異なったりすることがある。また、サプリメントも、朝用にエネルギー補給用サプリメント、昼用に疲労回復、夜用に美容又はダイエットなどのように使い分けることがある。一日３回服用する薬が１パックの収納袋４０に収納されているので、携帯にも便利である。収納袋４０と収納袋１０と異なる点のみを説明し、同じ作用機能の点は同じ符号を付すのみで説明を割愛する。
【００３８】
収納袋４０には、薬局などで陳列棚のハンガーにかけて販売されるように、ハンガーの径又は形状に合わせた孔部１２が形成されている。そして、収納袋４０には三角形の３つの袋部１４−１ないし袋部１４−３が設けられており、収納袋４０の周縁部に切れ目２１が形成されている。切れ目２１にはミシン目２３−１が設けられ、さらにミシン目２３−１と約６０度で交差する切れ目２２−１が形成されている。切れ目２２−１にはミシン目２３−２が設けられ、ミシン目２３−２と約６０度で交差する切れ目２２−２が形成されている。切れ目２２−２にはミシン目２３−３が設けられ、ミシン目２３−３と約６０度で交差する切れ目２２−３が形成されている。
【００３９】
収納袋４０の周縁部に形成された切れ目２１からミシン目２３−１に沿って、人の手で収納袋４０を破る。すると、収納袋４０の内部に形成された切れ目２２−１が現れるため、人は切れ目２２−１からミシン目２３−２に沿って収納袋４０を破る。こうすることで、袋部１４−１に収納されていた、最初に服用すべき医薬品を取り出すことができる。また、切れ目２２−１からミシン目２３−２に沿って収納袋４０を破ることで切れ目２２−２が現れる。そこで次に、人は切れ目２２−２からミシン目２３−３に沿って収納袋３０を破る。袋部１４−２に収納されていた、次に服用する医薬品を取り出すことができる。最後に、切れ目２２−３から収納袋４０を破ると、袋部１４−３に収納されていた最後に服用すべき医薬品を取り出すことができる。
【００４０】
図５のＢは、収納袋４０と同様に、１日３回服用する医薬品を特に考慮した収納袋４１の正面図である。収納袋４１と収納袋１０と異なる点のみを説明し、同じ作用機能の点は同じ符号を付すのみで説明を割愛する。一日３回服用する薬が１パックの収納袋４１に収納されているので、携帯にも便利である。
【００４１】
薬局などで陳列棚に載せて販売されている医薬品は一般用医薬品であるが、病院で医師が処方する薬である医療用医薬品は、陳列棚に載せて販売されることがない。このため、流通過程で収納袋が破れなることが想定されないので、朝昼晩ごとに服用する薬の種類が異なったり、同じ薬であっても薬の量が異なったりする場合に、誤飲することを防ぐことが主眼となる。収納袋４１は、誤飲することを防ぐことが主眼とした収納袋である。このため、孔部１２が形成されておらず、収納袋４１の周縁部に形成された切れ目２１からミシン目２３−１に沿って、人の手で収納袋４１を破ると、袋部１４−１に収納されていた医薬品をすぐに直接取り出すことができる。人はハサミで切断するなどのことがない限り、誤って袋部１４−１に収納されていた最初に服用すべき医薬品の前に、袋部１４−２に収納されていた２度目に服用する医薬品を取り出すことができない。このため、朝昼晩ごとに服用する薬の種類又は量を間違えたりしない。さらに、収納袋４０及び収納袋４１の表面又は裏面に、服用する薬の説明、順番、患者名などを印刷して、服用の誤りを二重三重に防ぐようにしてもよいことはいうまでもない。
【００４２】
図６は、図５で示した収納袋４０又は収納袋４１の製造において、長尺フィルム４５を使用する一例を示したものである。収納袋４０又は収納袋４１の外形が三角形であるので、長尺フィルム４５の幅Ｌを三角形の高さ方向に、長尺フィルム４５の長さ方向に三角形の底辺を配置して、長尺フィルム４５を有効に活用して製造することができる。
【００４３】
図７のＡ及びＢも、使う順番が決まっている物品を収納する収納袋５０及び収納袋５１の正面図である。収納袋５０又は収納袋５１と収納袋１０と異なる点のみを説明し、同じ作用機能の点は同じ符号を付すのみで説明を割愛する。これまで、三角形又は四角形の収納袋を説明してきたが、本発明は収納袋の外形が円形状であっても適用できる。また、袋部１４の形状も袋部に入れる物品などに応じて適宜変更することができる。
【００４４】
収納袋５０には、陳列棚のハンガーにかけて販売されるように、ハンガーの径又は形状に合わせた孔部１２が形成されている。そして、収納袋５０には４つの袋部１４−１ないし袋部１４−４が設けられており、収納袋５０の周縁部に切れ目２１が形成されている。切れ目２１にはミシン目２３−１が設けられている。さらにミシン目２３−１と約７０度で交差する切れ目２２−１が形成されている。切れ目２２−１には円弧状のミシン目２３−２が設けられ、ミシン目２３−２と交差する切れ目２２−２が形成されている。切れ目２２−２には円弧状のミシン目２３−３が設けられ、ミシン目２３−３と交差する切れ目２２−３が形成されている。切れ目２２−３には円弧状のミシン目２３−４が設けられ、ミシン目２３−４と交差する切れ目２２−４が形成されている。このように、収納袋５０には複数の円弧状のミシン目が形成されている。このようなミシン目であっても、人はハサミで切断するなどのことがない限り、誤って袋部１４−１に収納されていた物品の前に、袋部１４−２に収納されている物品を取り出すことができない。このため、順番を間違えて物品を取り出すことがない。なお、切れ目２２−２の長手方向と円弧状のミシン目２３−３の長手方向との狭いほうの交わり角度は約５０度である。狭いほうの交わり角度が３０度以下になると、人がミシン目２３−２に沿って収納袋５０を破ろうとすると、切れ目２２−２からミシン目２３−３まで破れてしまうおそれがあるからである。
【００４５】
収納袋５１には、３つの袋部１４−１ないし袋部１４−３が設けられており、収納袋５１の周縁部に切れ目２１が形成されている。切れ目２１には直線からなるミシン目２３−１が設けられている。さらにミシン目２３−１と約８０度で交差する切れ目２２−１が形成されている。切れ目２２−１には直線と曲線とからなるミシン目２３−２が設けられ、ミシン目２３−２と約８０度で交差する切れ目２２−２が形成されている。切れ目２２−２には直線と曲線とからなるミシン目２３−３が設けられ、ミシン目２３−３と約８０度で交差する切れ目２２−３が形成されている。切れ目２２−３には直線と曲線とからなるミシン目２３−４が設けられている。このように、収納袋５０には複数の直線と曲線とからなるミシン目が形成されている。図７で示したように、ミシン目の直線もしくは曲線形状、又は直線及び曲線からなる形状にしても、本発明は適用できる。
【００４６】
図８は、各種ミシン目を示した図である。ミシン目２３−Ａは、点線状の多穴で形成したものである。ミシン目２３−Ｂは、一定の幅に破ることができるように「Ｖ」の字状の多穴で形成されたものである。
【００４７】
図８のミシン目２３−Ｃは、誘導テープ３３が形成されたものである。誘導テープ３３は弾性を有しながらも、引裂きにくい材料で構成されることが必要で、ポリエチレンや、ポリエチレンにポリアミドを蒸着加工したものなどが好適であり、その幅は用途によって１〜５mm程度に適宜変更すればよい。図示した誘導テープ３３は、表シート１８の内面に貼り付けられているが、必ずしもその必要はなく、見栄え等が損なわれるものでなければ、表シート１８の外面に設けてもかまわない。また、表シート１８を多層構造で構成したならば、その層内に設けてもよい。なお、２３−ＣのＳＳ断面図は、ちょうど袋部１４の断面を示したものであり、表シート１８と裏シート１９との間には空隙が形成されている。人が誘導テープ３３を所定方向に引っ張りやすいように、誘導テープ３３に対応して表シート１８の外面に鎖線を印刷しておいてもよい。
【００４８】
ミシン目２３−Ｄは、直線状の一対の補助糸３４が形成されたものである。補助糸３４は切断されにくい材料で構成されることが必要で、ポリエチレン製モノフィラメント又はポリアミド製フィラメントなどが好適であり、その幅は１mm程度に適宜変更すればよい。図示した補助糸３４は、表シート１８の内面に貼り付けられているが、必ずしもその必要はなく、見栄え等が損なわれるものでなければ、表シート１８の外面に設けてもかまわない。また、表シート１８を多層構造で構成したならば、その層内に設けてもよい。さらには、直線状の一対の補助糸３４を裏シート１９の同じ位置に形成してもよい。なお、２３−ＤのＳＳ断面図は、ちょうど袋部１４の断面を示したものであり、表シート１８と裏シート１９との間には空隙が形成されている。直線状の一対の補助糸３４の間隔は、用途によって１〜５mm程度に適宜変更すればよい。この際に人の力で一対の補助糸３４の間の収納袋を破ることができるように表シート１８又は裏シート１９の少なくとも一方の厚さを薄くしておくことが望ましい。こうすることで、一対の補助糸３４の間の表シート１８が容易に且つ補助糸３４に沿って破ることができる。人が補助糸３４に沿って破くように、一対の補助糸３４の中間位置に対応して表シート１８の外面に鎖線を印刷しておいてもよい。
【００４９】
図８のミシン目２３−Ｅは、直線状の一対のリップ３５が形成されたものである。リップ３５は表シート１８又は裏シート１９の一部を折畳んで折曲部を形成し、互いに同一面が密着した状態でヒーターで熱溶着して形成することができる。図示したリップ３５は、表シート１８及び裏シート１９に設けられているが、片側のシートだけであってもよい。なお、２３−ＥのＳＳ断面図は、ちょうど袋部１４の断面を示したものであり、表シート１８と裏シート１９との間には空隙が形成されている。直線状の一対のリップ３５の間隔は、用途によって１〜５mm程度に適宜変更すればよい。人がリップ３５に沿って破くように、一対のリップ３５の中間位置に対応してシートの外面に鎖線を印刷しておいてもよい。
【００５０】
切れ目２１及び切れ目２２は、加熱した針を押し付けるニ−ドルパンチ法、エンボスロ−ル、研磨ロ−ル、砥石、研磨テ−プ等を使用してフィルムを溶融し、穿孔する熱溶融穿孔法、ナイフ、カッタ−等を使用する物理的穿孔法、レーザービーム加工、コロナ放電、プラズマ放電等の加工法、その他等の方法によって形成することができる。ミシン目２３−Ａ及びミシン目２３−Ｂは、切れ目２１及び切れ目２２と同様に、ニ−ドルパンチ法、物理的穿孔法、レーザービーム加工、コロナ放電、プラズマ放電等の加工法によって形成することができる。
【００５１】
ミシン目２３−Ｃ及びミシン目２３−Ｄは、レーザービームなどの熱溶着又は接着剤などで形成することができる。なお、ミシン目２３−Ｃを適用した際の切れ目２１及び２２は、外部に数ミリ程度出た誘導テープ３３の端部に相当する。
【００５２】
図８のミシン目２３−Ｃ、ミシン目２３−Ｄ及びミシン目２３−Ｅは、袋部１４に多穴を形成することがないので袋部１４の機密性が保たれる。このため、ミシン目２３−Ｃ、ミシン目２３−Ｄ及びミシン目２３−Ｅは、液体を袋部１４に入れる場合、粉末状の医薬品もしくは食品などを袋部１４に入れる場合、又は湿気に弱い医薬品もしくは食品などを袋部１４に入れる場合に適している。
【産業上の利用可能性】
【００５３】
ペットボトル１００に取り付ける第一実施形態の収納袋１０から説明してきたが、いろいろは変形例が適用できることは第二実施形態の収納袋２０ならびに第三実施形態の収納袋３０、４０、４１、５０及び５１で説明したとおりである。また、説明してきた実施形態はほぼ平面状の収納袋であったが、立方体状の収納袋にも本発明は適用できる。さらに袋部１４の形状も適宜変更できる。本発明の技術思想及び技術的範囲から逸脱することなく、本発明に対して様々な変更を加えることができることは、当業者には明らかであろう。
【図面の簡単な説明】
【００５４】
【図１】ペットボトル１００に収納袋１０を取り付けた図である。
【図２】Ａは第一実施形態の収納袋１０の正面図であり、Ｂは収納袋１０の側面図である。
【図３】Ａは第二実施形態の収納袋２０の正面図であり、Ｂは収納袋２０の側面図である。
【図４】第三実施形態で、使う順番が決まっている物品を収納する収納袋３０の正面図である。
【図５】Ａは一般医薬品などを収納する収納袋４０、Ｂは医療医薬品を収納する収納袋４１である。
【図６】長尺フィルム４５を使用して収納袋４０又は収納袋４１を製造する際の取り方の一例である。
【図７】使う順番が決まっている物品を収納する収納袋５０、収納袋５１の正面図である。
【図８】ミシン目の形状を各種示した説明図である。
【符号の説明】
【００５５】
１０、２０、３０，４０，４１，５０．５１    収納袋
１４    袋部
１６    優待券などのチケット
２１、２２、２５    切り目
２３、２６    ミシン目
２４    ミシン目（必須のミシン目ではない）
４５    長尺フィルム
１００    ペットボトル
【図１】
2007186213.tif 000003
【図２】
2007186213.tif 000004
【図３】
2007186213.tif 000005
【図４】
2007186213.tif 000006
【図５】
2007186213.tif 000007
【図６】
2007186213.tif 000008
【図７】
2007186213.tif 000009
【図８】
2007186213.tif 000010